(57)【要約】【課題】周辺画質の低下を意識することなく電子ズーム範囲の設定を可能とし、適正な画質の電子ズーム画像を得ることを可能とした撮像装置及び制御方法を提供する。【解決手段】デジタルカメラは、撮影レンズ３００が交換可能なカメラ本体２００にＥＶＦモニタ１１８、マイコン１２３を備える。マイコン１２３は、カメラ本体２００に撮影レンズ３００が装着されると、撮影レンズ３００から光学特性データ（軸上色収差、倍率色収差、球面収差、コマ収差、非点収差、像面湾曲、歪曲収差、周辺光量低下）を取得する。マイコン１２３は、光学特性データから撮影レンズ３００の周辺画質性能の優劣を判断し、装着された撮影レンズ３００が周辺画質性能の劣っている撮影レンズである場合は、電子ズーム範囲の移動可能範囲をＥＶＦモニタ１１８の画面中央方向に縮小する。【選択図】図３
2011135193.tif 000002
【特許請求の範囲】
【請求項１】
撮影レンズの交換が可能に構成され、撮影画像を表示する表示手段を備えると共に前記表示手段の画面に設定した電子ズーム範囲を拡大して画像を撮影することが可能な電子ズーム機能を有する撮像装置であって、
前記撮影レンズの光学性能を取得する取得手段と、
前記表示手段の画面に設定された前記電子ズーム範囲を前記取得手段により取得した前記撮影レンズの光学性能に基づき変更する制御手段と、
を備えることを特徴とする撮像装置。
【請求項２】
前記撮影レンズの光学性能は、軸上色収差、倍率色収差、球面収差のいずれかを含み、
前記制御手段は、前記撮影レンズの光学性能に基づき前記撮影レンズが周辺画質の劣る撮影レンズであると判断した場合は、前記電子ズーム範囲の移動可能範囲を縮小することを特徴とする請求項１記載の撮像装置。
【請求項３】
撮影画像を表示する表示手段を備えると共に前記表示手段の画面に設定した電子ズーム範囲を拡大して画像を撮影することが可能な電子ズーム機能を有する撮像装置であって、
電子ズームの拡大率を変更する変更手段と、
前記表示手段の画面に設定された前記電子ズーム範囲を前記変更手段により変更された前記電子ズームの拡大率に基づき変更する制御手段と、
を備えることを特徴とする撮像装置。
【請求項４】
前記制御手段は、前記電子ズームの拡大率を大きくする変更の場合は前記電子ズーム範囲の移動可能範囲を拡張し、前記電子ズームの拡大率を小さくする変更の場合は前記電子ズーム範囲の移動可能範囲を縮小することを特徴とする請求項３記載の撮像装置。
【請求項５】
撮影画像を表示する表示手段を備えると共に前記表示手段の画面に設定した電子ズーム範囲を拡大して画像を撮影することが可能な電子ズーム機能を有する撮像装置であって、
撮影対象画像の周辺画質を補正するための画像補正処理設定を変更する変更手段と、
前記表示手段の画面に設定された前記電子ズーム範囲を前記変更手段により変更された前記画像補正処理設定に基づき変更する制御手段と、
を備えることを特徴とする撮像装置。
【請求項６】
前記制御手段は、前記画像補正処理設定が有効である場合は、前記電子ズーム範囲の移動可能範囲を拡張することを特徴とする請求項５記載の撮像装置。
【請求項７】
撮影画像を表示する表示手段を備えると共に前記表示手段の画面に設定した電子ズーム範囲を拡大して画像を撮影することが可能な電子ズーム機能を有する撮像装置であって、
画像を撮影する際の撮影形態を設定する設定手段と、
前記表示手段の画面に設定された前記電子ズーム範囲を前記設定手段により設定された撮影形態に基づき変更する制御手段と、
を備えることを特徴とする撮像装置。
【請求項８】
前記設定手段は、前記撮影形態として動画撮影を設定することが可能であり、
前記制御手段は、前記撮影形態として前記動画撮影が設定された場合は、前記電子ズーム範囲の移動可能範囲を拡張することを特徴とする請求項７記載の撮像装置。
【請求項９】
撮影レンズの交換が可能に構成され、撮影画像を表示する表示手段を備えると共に前記表示手段の画面に設定した電子ズーム範囲を拡大して画像を撮影することが可能な電子ズーム機能を有する撮像装置の制御方法であって、
前記撮影レンズの光学性能を取得する取得工程と、
前記表示手段の画面に設定された前記電子ズーム範囲を前記取得工程により取得した前記撮影レンズの光学性能に基づき変更する制御工程と、
を有することを特徴とする制御方法。
【請求項１０】
撮影画像を表示する表示手段を備えると共に前記表示手段の画面に設定した電子ズーム範囲を拡大して画像を撮影することが可能な電子ズーム機能を有する撮像装置の制御方法であって、
電子ズームの拡大率を変更する変更工程と、
前記表示手段の画面に設定された前記電子ズーム範囲を前記変更工程により変更された前記電子ズームの拡大率に基づき変更する制御工程と、
を有することを特徴とする制御方法。
【請求項１１】
撮影画像を表示する表示手段を備えると共に前記表示手段の画面に設定した電子ズーム範囲を拡大して画像を撮影することが可能な電子ズーム機能を有する撮像装置の制御方法であって、
撮影対象画像の周辺画質を補正するための画像補正処理設定を変更する変更工程と、
前記表示手段の画面に設定された前記電子ズーム範囲を前記変更工程により変更された前記画像補正処理設定に基づき変更する制御工程と、
を有することを特徴とする制御方法。
【請求項１２】
撮影画像を表示する表示手段を備えると共に前記表示手段の画面に設定した電子ズーム範囲を拡大して画像を撮影することが可能な電子ズーム機能を有する撮像装置の制御方法であって、
撮影形態を設定する設定工程と、
前記表示手段の画面に設定された前記電子ズーム範囲を前記設定工程により設定された撮影形態に基づき変更する制御工程と、
を有することを特徴とする制御方法。
【発明の詳細な説明】
【技術分野】
【０００１】
本発明は、撮影レンズの交換が可能な撮像装置及び制御方法に関する。
【背景技術】
【０００２】
従来、撮影レンズがカメラ本体に着脱可能で、カメラ本体の表示部の画面に表示した撮影対象を拡大して撮影するための電子ズーム範囲を変更可能な電子ズーム機能を有するデジタルカメラがある。従来のデジタルカメラでは、電子ズームが可能な範囲は、交換した撮影レンズの光学性能（周辺画質性能）やデジタルカメラの画像処理設定に関わらず一定であった。
【０００３】
上記電子ズーム機能を有するデジタルカメラに関する技術としては以下の文献が提案されている（例えば、特許文献１、特許文献２参照）。特許文献１では、カメラ本体に装着される撮影レンズの焦点距離に応じて電子ズームを行うかどうかの可否の設定に制限をかける技術が開示されている。また、特許文献２では、電子ズームのズーム範囲を指定して画像を拡大する技術が開示されている。
【先行技術文献】
【特許文献】
【０００４】
【特許文献１】特開２００１−０２１７８８号公報
【特許文献２】特開平０６−０７８１９８号公報
【発明の概要】
【発明が解決しようとする課題】
【０００５】
しかしながら、上述した特許文献１及び特許文献２に開示された技術では、電子ズーム機能を有するデジタルカメラにおいて周辺画質性能が劣る撮影レンズ（交換レンズ）を使用した場合、次のような問題がある。電子ズーム範囲を描写力に劣る画面周囲に設定することが可能となり、その設定のまま電子ズーム拡大を行った場合に解像度が低い画像になってしまうという問題がある。
【０００６】
例えば図８に示す被写体に対して、図９で示すような周辺画素の光量落ちが発生する撮影レンズを使用したデジタルカメラにおいて被写体画像を表示部の画面に表示した場合を考える。図９の画面の右下方に四角枠９００で示す電子ズーム範囲で電子ズーム拡大を行うと、図１０で示すように全体的に光量が不足した画像になってしまうという問題がある。
【０００７】
本発明の目的は、周辺画質の低下を意識することなく電子ズーム範囲の設定を可能とし、適正な画質の電子ズーム画像を得ることを可能とした撮像装置及び制御方法を提供することにある。
【課題を解決するための手段】
【０００８】
上記目的を達成するために、本発明は、撮影レンズの交換が可能に構成され、撮影画像を表示する表示手段を備えると共に前記表示手段の画面に設定した電子ズーム範囲を拡大して画像を撮影することが可能な電子ズーム機能を有する撮像装置であって、前記撮影レンズの光学性能を取得する取得手段と、前記表示手段の画面に設定された前記電子ズーム範囲を前記取得手段により取得した前記撮影レンズの光学性能に基づき変更する制御手段と、を備えることを特徴とする。
【発明の効果】
【０００９】
本発明によれば、電子ズーム範囲を撮影レンズから取得した光学性能に基づき変更するので、周辺画質の低下を意識することなく電子ズーム範囲の設定が可能となり、適正な画質の電子ズーム画像を得ることが可能となる。
【図面の簡単な説明】
【００１０】
【図１】本発明の第１の実施の形態に係る撮像装置としてのデジタルカメラの構成を示すブロック図である。
【図２】デジタルカメラ本体、撮影レンズ、ストロボ装置の光学配置を示す概略図である。
【図３】電子ズーム範囲の移動可能範囲に制限をかける処理を示すフローチャートである。
【図４】本発明の第２の実施の形態に係る電子ズーム範囲の移動可能範囲に制限をかける処理を示すフローチャートである。
【図５】本発明の第３の実施の形態に係る電子ズーム範囲の移動可能範囲に制限をかける処理を示すフローチャートである。
【図６】本発明の第４の実施の形態に係る電子ズーム範囲の移動可能範囲に制限をかける処理を示すフローチャートである。
【図７】本実施の形態のデジタルカメラの液晶表示部の画面において四角枠で示した範囲から画面中央方向に電子ズーム範囲の移動範囲制限をかける例を示す図である。
【図８】従来例に係るデジタルカメラの撮影対象の被写体を示す図である。
【図９】デジタルカメラの表示部の画面における電子ズーム範囲を示す図である。
【図１０】図８の電子ズーム範囲で電子ズーム拡大を行った画像を示す図である。
【発明を実施するための形態】
【００１１】
以下、本発明の実施の形態を図面に基づき説明する。
【００１２】
〔第１の実施の形態〕
図１は、本発明の第１の実施の形態に係る撮像装置としてのデジタルカメラの構成を示すブロック図である。図２は、デジタルカメラ本体、撮影レンズ、ストロボ装置の光学配置を示す概略図である。
【００１３】
図１、図２において、デジタルカメラは、カメラ本体２００、撮影レンズ３００、ストロボ装置４００を備えており、撮影レンズ３００の交換が可能な一眼レフデジタルカメラとして構成されている。デジタルカメラは、静止画撮影モード／動画撮影モード（撮影形態）のいずれかに設定する撮影モード設定機能、ＥＶＦ（電子ビューファインダ）モニタの画面に設定した電子ズーム範囲を拡大して画像を撮影することが可能な電子ズーム機能等を備えている。尚、図１に示す撮影レンズ３００は概略であり、図２に撮影レンズ３００の詳細を図示している。また、図１と図２の共通する構成要素には同じ符号を付記する。
【００１４】
まず、カメラ本体２００の構成について説明する。カメラ本体２００は、図１に示すように、主ミラー１０６、フォーカルプレーンシャッタ１１０、撮像素子１１２、映像信号処理回路１１６、ＥＶＦモニタ１１８、マイクロコンピュータ１２３、操作部材１２４等を備えている。更に、カメラ本体２００は、図２に示すように、ピント板２０２、接眼レンズ２０４、結像レンズ２０５、測光センサ２０６等を備えている。
【００１５】
主ミラー１０６は、撮影レンズ３００から入射した光束をファインダ側と撮像素子側とに切り替える。主ミラー１０６は、ファインダ観察状態ではファインダへ光束を導くよう反射させるように撮影光路内に斜設され、撮影状態では撮像素子１１２へ光束を導くように上方に跳ね上がり撮影光路外に退避する。また、主ミラー１０６は、その中央部が光の一部を透過できるようにハーフミラーとなっており、光束の一部を焦点検出光学系に入射するように透過させる。サブミラー１０７は、主ミラー１０６から透過してきた光束を反射させ、焦点検出回路１０９内に配置された焦点検出センサに導く。
【００１６】
ペンタプリズム１０８は、ピント板２０２、アイピースレンズ（不図示）等と共にファインダ光学系を構成し、ファインダ光学系の光路を変更する。ピント板２０２は、撮影レンズ３００の予定結像面に配置される。接眼レンズ２０４は、使用者が接眼レンズ後方にある窓からピント板２０２を介して撮影画面を観察する際に用いる。測光センサ２０６は、ファインダ観察画面内の被写体輝度を測定する。結像レンズ２０５は、ペンタプリズム１０８内の反射光路を介してピント板２０２と測光センサ２０６とを共役に関係付けている。
【００１７】
焦点検出回路１０９は、位相差検出方式により撮影レンズ３００の焦点調節状態を検出し、その検出結果を撮影レンズ３００の焦点調節機構を制御するマイクロコンピュータ（以後マイコン）１２３に送出する。また、主ミラー１０６の中央部を透過しサブミラー１０７で反射された光束は、焦点検出回路１０９内の光電変換を行うためのセンサに至る。フォーカス演算に用いるデフォーカス量は、前記センサの出力の演算により求められる。マイコン１２３は、演算結果を評価して撮影レンズ３００内のＡＦ駆動部３０５に指示し、フォーカスレンズを駆動させる。
【００１８】
シャッタ駆動回路１１１は、フォーカルプレーンシャッタ１１０を駆動する。フォーカルプレーンシャッタ１１０の開口時間は、マイコン１２３により制御される。撮像素子１１２は、ＣＣＤセンサ（またはＣＭＯＳセンサ）として構成されており、撮影レンズ３００により結像された被写体の光学像を電気信号に変換する。クランプ回路１１３は、撮像素子１１２から出力される映像信号にクランプ処理を行う。ＡＧＣ回路１１４は、クランプ回路１１３の出力信号に自動利得制御を行う。クランプ回路１１３とＡＧＣ回路１１４は、Ａ／Ｄ変換器１１５でＡ／Ｄ変換を行う前の基本的なアナログ信号処理を行い、マイコン１２３は、クランプレベルとＡＧＣ基準レベルの変更を行う。
【００１９】
Ａ／Ｄ変換器１１５は、ＡＧＣ回路１１４から出力されるアナログ信号をデジタル信号（画像データ）に変換する。映像信号処理回路１１６は、ゲートアレイ等のロジックデバイスから構成され、デジタル化された画像データにフィルタ処理、色変換処理、ガンマ処理を行うと共に、ＪＰＥＧ等の圧縮処理を行い、メモリコントローラ１１９に出力する。また、映像信号処理回路１１６は、撮像素子１１２から出力される映像信号（画像データ）や、メモリコントローラ１１９から逆に入力される画像データを、ＥＶＦ駆動回路１１７を通してＥＶＦ（電子ビューファインダ）モニタ１１８に出力する。ＥＶＦモニタ１１８に表示する画像の切り替えはマイコン１２３の指示により行われる。
【００２０】
また、映像信号処理回路１１６は、必要に応じて撮像素子１１２から出力される映像信号に関わる露出情報やホワイトバランス情報をマイコン１２３に出力する。マイコン１２３は、それらの情報を基にホワイトバランスやゲイン調整の指示を行う。連続撮影の場合は、一旦、バッファメモリ１２２に撮影した画像データを未処理のまま格納し、メモリコントローラ１１９を通して未処理の画像データを読み出し、映像信号処理回路１１６にて画像処理や圧縮処理を行うことで連続撮影を行う。連像撮影枚数は、バッファメモリ１２２の大きさに左右される。
【００２１】
ＥＶＦ駆動回路１１７は、ＥＶＦモニタ１１８を駆動する。ＥＶＦモニタ１１８は、撮影画像を表示する。尚、撮影画像は後述の外部液晶表示部１２８に表示してもよい。メモリコントローラ１１９は、映像信号処理回路１１６から入力された未処理のデジタル画像データをバッファメモリ１２２に格納し、処理済みのデジタル画像データをメモリ１２０に格納する。また、メモリコントローラ１１９は、逆にバッファメモリ１２２やメモリ１２０から画像データを映像信号処理回路部１１６に出力する。メモリ１２０は、カメラ本体２００に着脱可能としてもよい。メモリコントローラ１１９は、コンピュータ等と接続可能な外部インタフェース１２１を介してメモリ１２０に記憶されている画像を出力可能である。
【００２２】
マイコン１２３（取得手段、制御手段）は、デジタルカメラ各部の制御を司るものであり、プログラムに基づき図３乃至図６の各フローチャートに示す処理を実行する。操作部材１２４には、入力スイッチ１（以後スイッチＳＷ１）１２５と入力スイッチ２（以後スイッチＳＷ２）１２６が接続されている。更に、操作部材１２４には、電子ズーム拡大率変更ボタン、周辺画質の画像補正処理設定変更ボタン、動画撮影設定ボタン、ＩＳＯ設定ボタン、画像サイズ設定ボタン、画質設定ボタン、情報表示ボタン（以上不図示）等が接続されている。操作部材１２４は、スイッチＳＷ１、スイッチＳＷ２、前記各種ボタンの操作状態をマイコン１２３に伝え、マイコン１２３は、検知した操作状態に応じてカメラ各部を制御する。
【００２３】
スイッチＳＷ１とスイッチＳＷ２は、レリーズボタン（不図示）の操作でオン／オフする。スイッチＳＷ１のみオンの状態は、レリーズボタン半押し状態である。デジタルカメラでは、この状態でオートフォーカス動作や測光動作が行われる。スイッチＳＷ１とスイッチＳＷ２が共にオンの状態は、レリーズボタン全押し状態であり、画像を記録するためのレリーズボタンオン状態である。デジタルカメラでは、この状態で撮影が行われる。また、スイッチＳＷ１、スイッチＳＷ２をオンし続けている間は、連続撮影動作が行われる。
【００２４】
電子ズーム拡大率変更ボタン（変更手段）は、電子ズームの拡大率を変更（拡大／縮小）する際に操作する。電子ズームの拡大率を大きくする変更（拡大）の場合は、マイコン１２３の制御により電子ズーム範囲の移動可能範囲が周辺領域方向に拡張される。電子ズームの拡大率を小さくする変更（縮小）の場合は、マイコン１２３の制御により電子ズーム範囲の移動可能範囲が画面中央方向に縮小される。
【００２５】
周辺画質の画像補正処理設定変更ボタン（変更手段）は、撮影画像の周辺画質を補正するための画像補正処理設定を変更する際に操作する。周辺画質の画像補正処理設定が有効である場合は、マイコン１２３の制御により電子ズーム範囲の移動可能範囲が周辺領域方向に拡張される。
【００２６】
動画撮影設定ボタン（設定手段）は、デジタルカメラを動画撮影モードに設定する際に操作する。動画撮影モードの設定が有効である場合は、マイコン１２３の制御により電子ズーム範囲の移動可能範囲が周辺領域方向に拡張される。
【００２７】
尚、本実施の形態では、上記各機能に１対１で対応したボタン（電子ズーム拡大率変更ボタン、周辺画質の画像補正処理設定変更ボタン、動画撮影設定ボタン、電子ズーム範囲設定ボタン）を個別に設ける構成としているが、これに限定されるものではない。例えば画像サイズ設定ボタンに電子ズーム拡大率変更を指示する機能／電子ズーム範囲設定を指示する機能を持たせる、画質設定ボタンに周辺画質の画像補正処理設定変更を指示する機能を持たせる、等の様々な形態が考えられる。
【００２８】
液晶駆動回路１２７は、マイコン１２３の表示内容命令に従って、外部液晶表示部１２８とファインダ内液晶表示部１２９を駆動する。外部液晶表示部１２８とファインダ内液晶表示部１２９は、各種情報を表示する。ファインダ内液晶表示部１２９には、液晶駆動回路１２７により駆動されるＬＥＤ等のバックライト（不図示）が装備されている。マイコン１２３は、撮影前に設定されているＩＳＯ感度、画像サイズ、画質に応じた画像サイズの予測値データを基に、メモリコントローラ１１９を介してメモリの容量を確認した上で撮影可能残数を演算する。また、必要に応じて撮影可能残数を外部液晶表示部１２８、ファインダ内液晶表示部１２９にも表示する。
【００２９】
不揮発性メモリ（ＥＥＰＲＯＭ）１３０は、デジタルカメラに電源が投入されていない状態でもデータを保存することができる。電源部１３１は、各ＩＣや駆動系に必要な電源を供給する。
【００３０】
次に、撮影レンズ３００の構成について説明する。撮影レンズ３００は、カメラ本体２００に着脱可能（交換可能）に構成されている。撮影レンズ３００は、図１、図２に示すように、１群レンズ３０１、２群レンズ３０２、３群レンズ３０３、絞り３０４、ＡＦ駆動部３０５、ズーム駆動部３０６、絞り駆動部３０７を備えている。１群レンズ３０１は、光軸上を前後に移動することで撮影画面のピント位置を調整するフォーカスレンズである。２群レンズ３０２は、光軸上を前後に移動することで撮影レンズ３００の焦点距離を変更し、撮影画面の変倍を行う変倍レンズである。３群レンズ３０３は固定レンズである。
【００３１】
ＡＦ駆動部３０５は、ＤＣモータ（またはステッピングモータ）から構成されており、マイコン１２３の制御に基づき、１群レンズ３０１を光軸方向の前後に移動させることで、ピントを合わせる。ズーム駆動部３０６は、ＤＣモータ（またはステッピングモータ）から構成されており、マイコン１２３の制御に基づき、２群レンズ３０２を光軸方向の前後に移動させることで、撮影レンズ３００の焦点距離を変化させる。絞り駆動部３０７は、ＤＣモータ（またはステッピングモータ）から構成されており、マイコン１２３の制御に基づき、絞り３０４の開口径を変化させるように光学的な絞り値を変化させる。
【００３２】
レンズマウント接点群３０８は、カメラ本体２００と撮影レンズ３００との通信インタフェースとなる。カメラ本体２００に対するレンズマウント接点群３０８を介した撮影レンズ３００の装着は、マイコン１２３により検知される。
【００３３】
次に、ストロボ装置４００の構成について説明する。ストロボ装置４００は、カメラ本体２００に着脱可能であり、カメラ本体２００のマイコン１２３から出力される制御信号に従って発光制御を行う。ストロボ装置４００は、キセノン管４０１、フレネルレンズ４０２、反射板４０３、ストロボ接点群４０４を備えている。キセノン管４０１は、電流エネルギーを発光エネルギーに変換する。フレネルレンズ４０２と反射板４０３は、それぞれ発光エネルギーを効率良く被写体に向けて集光する役目を有する。ストロボ接点群４０４は、カメラ本体２００とストロボ装置４００との通信インタフェースとなるホットシューに設置されている。
【００３４】
次に、本実施の形態のデジタルカメラにおける電子ズーム範囲の移動可能範囲に制限をかける制御について図３を参照しながら説明する。
【００３５】
図３は、本実施の形態の電子ズーム範囲の移動可能範囲に制限をかける処理を示すフローチャートである。
【００３６】
図３において、使用者が撮影レンズ３００をレンズマウント接点群３０８を介してカメラ本体２００に装着すると、カメラ本体２００のマイコン１２３は、撮影レンズ３００の装着を検知する（ステップＳ３０１）。次に、マイコン１２３は、レンズマウント接点群３０８を通信インタフェースとしてカメラ本体２００と撮影レンズ３００の間でシリアル通信によるデータ通信を行い、撮影レンズ３００から光学特性データを取得する（ステップＳ３０２）。撮影レンズ３００の光学性能を示す光学特性データには、軸上色収差、倍率色収差、球面収差、コマ収差、非点収差、像面湾曲、歪曲収差、周辺光量低下がある。
【００３７】
次に、マイコン１２３は、取得した光学特性データから撮影レンズ３００の周辺画質性能の優劣（画像の周辺画素に光量落ちが発生するか否か）を判断する（ステップＳ３０３）。カメラ本体２００に装着された撮影レンズ３００が周辺画質性能が劣っている撮影レンズであると判断した場合は、マイコン１２３は、電子ズーム範囲の移動可能範囲をＥＶＦモニタ１１８の画面中央方向に縮小し、（ステップＳ３０４）本処理を終了する。ここで、具体例を挙げると、図７の四角枠７００で示す範囲よりＥＶＦモニタ１１８の画面中央方向にしか電子ズーム範囲を設定できないように制限をかける。他方、カメラ本体２００に装着された撮影レンズ３００が周辺画質性能が劣っていないと判断した場合は、本処理を終了する。
【００３８】
以上詳細に説明したように、本実施の形態によれば、カメラ本体２００に撮影レンズ３００が装着されると、撮影レンズ３００から光学特性データを取得する。更に、光学特性データから撮影レンズ３００の周辺画質性能の優劣を判断し、周辺画質性能が劣っている撮影レンズである場合は、電子ズーム範囲の移動可能範囲をＥＶＦモニタ１１８の画面中央方向に縮小する。これにより、使用者は撮影レンズの光学性能と周辺画質の低下を意識することなく電子ズーム範囲の設定が可能となると共に、適正な画質の電子ズーム画像を得ることが可能となる。
【００３９】
〔第２の実施の形態〕
本発明の第２の実施の形態は、上記第１の実施の形態に対して、図４で説明する点において相違する。本実施の形態のその他の要素は、上記第１の実施の形態（図１、図２）の対応するものと同一なので説明を省略する。
【００４０】
次に、本実施の形態のデジタルカメラにおける電子ズーム範囲の移動可能範囲に制限をかける制御について図４を参照しながら説明する。
【００４１】
図４は、本実施の形態の電子ズーム範囲の移動可能範囲に制限をかける処理を示すフローチャートである。
【００４２】
図４において、使用者が電子ズーム拡大率変更ボタンを操作すると、カメラ本体２００のマイコン１２３は、電子ズームの拡大率の変更操作が行われたことを検知する（ステップＳ４０１）。次に、マイコン１２３は、電子ズームの拡大率の変更が拡大であるか縮小であるかを判断する（ステップＳ４０２）。電子ズームの拡大率を大きくする変更である場合は、マイコン１２３は、電子ズーム範囲の移動可能範囲をＥＶＦモニタ１１８の周辺領域方向に拡張し（ステップＳ４０３）、本処理を終了する。他方、電子ズームの拡大率を小さくする変更である場合は、マイコン１２３は、電子ズーム範囲の移動可能範囲をＥＶＦモニタ１１８の画面中央方向に縮小し（ステップＳ４０４）、本処理を終了する。
【００４３】
以上詳細に説明したように、本実施の形態によれば、使用者は周辺画質の低下を意識することなく電子ズーム範囲の設定が可能となると共に、適正な画質の電子ズーム画像を得ることが可能となる。
【００４４】
〔第３の実施の形態〕
本発明の第３の実施の形態は、上記第１の実施の形態に対して、図５で説明する点において相違する。本実施の形態のその他の要素は、上記第１の実施の形態（図１、図２）の対応するものと同一なので説明を省略する。
【００４５】
次に、本実施の形態のデジタルカメラにおける電子ズーム範囲の移動可能範囲に制限をかける制御について図５を参照しながら説明する。
【００４６】
図５は、本実施の形態の電子ズーム範囲の移動可能範囲に制限をかける処理を示すフローチャートである。
【００４７】
図５において、使用者が周辺画質の画像補正処理設定変更ボタンを操作すると、カメラ本体２００のマイコン１２３は、ＥＶＦモニタ１１８に表示された撮影対象画像の周辺画質の画像補正処理設定の変更操作が行われたことを検知する（ステップＳ５０１）。次に、マイコン１２３は、周辺画質の画像補正処理設定が有効であるか無効であるかを判断する（ステップＳ５０２）。周辺画質の画像補正処理設定が有効である場合は、マイコン１２３は、電子ズーム範囲の移動可能範囲を周辺領域方向に拡張し（ステップＳ５０３）、本処理を終了する。他方、周辺画質の画像補正処理設定が無効である場合は、本処理を終了する。
【００４８】
以上詳細に説明したように、本実施の形態によれば、使用者は周辺画質の低下を意識することなく電子ズーム範囲の設定が可能となると共に、適正な画質の電子ズーム画像を得ることが可能となる。
【００４９】
〔第４の実施の形態〕
本発明の第４の実施の形態は、上記第１の実施の形態に対して、図６で説明する点において相違する。本実施の形態のその他の要素は、上記第１の実施の形態（図１、図２）の対応するものと同一なので説明を省略する。
【００５０】
次に、本実施の形態のデジタルカメラにおける電子ズーム範囲の移動可能範囲に制限をかける制御について図６を参照しながら説明する。
【００５１】
図６は、本実施の形態の電子ズーム範囲の移動可能範囲に制限をかける処理を示すフローチャートである。
【００５２】
図６において、使用者が動画撮影設定ボタンを操作すると、カメラ本体２００のマイコン１２３は、動画撮影設定の変更操作（動画撮影モードの設定）が行われたことを検知する（ステップＳ６０１）。次に、マイコン１２３は、動画撮影モードの設定が有効であるか無効であるかを判断する（ステップＳ６０２）。動画撮影モードの設定が有効である場合は、マイコン１２３は、電子ズーム範囲の移動可能範囲をＥＶＦモニタ１１８の周辺領域方向に拡張し（ステップＳ６０３）、本処理を終了する。他方、動画撮影モードの設定が無効である場合は、本処理を終了する。
【００５３】
以上詳細に説明したように、本実施の形態によれば、使用者は周辺画質の低下を意識することなく電子ズーム範囲の設定が可能となると共に、適正な画質の電子ズーム画像を得ることが可能となる。
【００５４】
〔他の実施の形態〕
第１乃至第４の実施の形態では、本発明の好ましい実施形態について説明したが、本発明は、これらの実施形態に限定されるものではなく、本発明の要旨の範囲内で種々の変形及び変更が可能である。
【符号の説明】
【００５５】
１１８  ＥＶＦモニタ
１２３  マイクロコンピュータ
１２４  操作部材
２００  カメラ本体
３００  撮影レンズ
【図１】
2011135193.tif 000003
【図２】
2011135193.tif 000004
【図３】
2011135193.tif 000005
【図４】
2011135193.tif 000006
【図５】
2011135193.tif 000007
【図６】
2011135193.tif 000008
【図７】
2011135193.tif 000009
【図８】
2011135193.tif 000010
【図９】
2011135193.tif 000011
【図１０】
2011135193.tif 000012